(57)【要約】【課題】装着者の手の甲と手口ベロとのフィット感の低下を抑制することができる野球またはソフトボール用捕球具を提供する。【解決手段】野球またはソフトボール用捕球具１は、指部２と、手口ベロ１０と、補強部材２０とを備えている。指部２は、装着者の手１００の親指１０１および小指１０５を受け入れる。手口ベロ１０は、指部２に接続され、かつ装着者の手１００の甲１０６に沿う。補強部材２０は、手口ベロ１０に取り付けられている。手口ベロ１０は、甲１０６の親指１０１側から小指１０５側に向けて延びている。補強部材２０は、第１補強部２１と、第２補強部２２とを含んでいる。第１補強部２１は、甲１０６の親指１０１側から小指１０５側に向けて手口ベロ１０が延びる延在方向Ｄ１に第２補強部２２との間に隙間ＧＰをあけて配置されている。【選択図】図３
2020120977.tif 000002
【特許請求の範囲】
【請求項１】
装着者の手に装着される野球またはソフトボール用捕球具であって、
前記装着者の前記手の親指および小指を受け入れる指部と、
前記指部に接続され、かつ前記装着者の前記手の甲に沿う手口ベロと、
前記手口ベロに取り付けられた補強部材とを備え、
前記手口ベロは、前記甲の前記親指側から前記小指側に向けて延びており、
前記補強部材は、第１補強部と、第２補強部とを含み、
前記第１補強部は、前記甲の前記親指側から前記小指側に向けて前記手口ベロが延びる延在方向に前記第２補強部との間に隙間をあけて配置されている、野球またはソフトボール用捕球具。
【請求項２】
前記第１補強部および前記第２補強部の各々の材料の引張弾性率は、前記手口ベロの材料の引張弾性率以上である、請求項１に記載の野球またはソフトボール用捕球具。
【請求項３】
前記第１補強部および前記第２補強部の各々の材料は、前記手口ベロの材料と同じである、請求項１または２に記載の野球またはソフトボール用捕球具。
【請求項４】
前記延在方向において、前記第１補強部および前記第２補強部の各々の幅は、前記隙間の幅よりも大きい、請求項１〜３のいずれか１項に記載の野球またはソフトボール用捕球具。
【請求項５】
前記指部と前記手口ベロとの間に設けられた窓部をさらに備え、
前記第１補強部および前記第２補強部の各々は、前記延在方向において前記窓部の前記親指側の端よりも前記小指側に配置されている、請求項１〜４のいずれか１項に記載の野球またはソフトボール用捕球具。
【請求項６】
前記第１補強部および前記第２補強部の各々は、前記延在方向に直交する交差方向において、前記手口ベロの中央よりも前記窓部側に配置されている、請求項５に記載の野球またはソフトボール用捕球具。
【請求項７】
前記第１補強部は、前記延在方向に対して傾斜しており、かつ前記装着者の前記手の人差し指に接続された中手骨に沿って延びている、請求項１〜６のいずれか１項に記載の野球またはソフトボール用捕球具。
【請求項８】
前記手口ベロは、前記甲に沿うように配置された第１ベロ部材と、前記第１ベロ部材に対して前記甲と反対側に配置された第２ベロ部材とを含み、
前記第１補強部および前記第２補強部の各々は、前記第２ベロ部材を貫通し、前記第１ベロ部材と前記第２ベロ部材との間で前記手口ベロに固定されている、請求項１〜７のいずれか１項に記載の野球またはソフトボール用捕球具。
【発明の詳細な説明】
【技術分野】
【０００１】
本発明は、野球またはソフトボール用捕球具に関するものである。
【背景技術】
【０００２】
従来、野球またはソフトボール用捕球具に手を挿入するに際しては、装着者の手の指は野球またはソフトボール用捕球具の指部で固定され、装着者の手の甲は手口ベロで固定される。したがって、野球またはソフトボール用捕球具と装着者の手との一体感を増すためには、装着者の手の甲が手口ベロでしっかりと固定されていることが必要である。そのため、装着者の手の甲を手口ベロでしっかりと固定するための手口ベロの調整機構が提案されている。
【０００３】
たとえば、特許第３０８１５３９号公報（特許文献１）の図６および図７には、従来の野球用グラブにおける手口ベロの調整機構が記載されている。この従来の野球用グラブにおける手口ベロの調整機構では、背面皮の小指下部と、小指下部の下に位置する手口ベロとが皮紐によって結ばれている。
【先行技術文献】
【特許文献】
【０００４】
【特許文献１】特許第３０８１５３９号公報
【発明の概要】
【発明が解決しようとする課題】
【０００５】
上記公報に記載された従来の野球用グラブにおける手口ベロの調整機構では、野球用グラブが繰り返し使用されることにより手口ベロの皮に負荷がかかることで、手口ベロの皮が伸びる。このため、装着者の手の甲と手口ベロとのフィット感（固定感）が低下する。
【０００６】
本発明は、上記課題に鑑みてなされたものであり、その目的は、装着者の手の甲と手口ベロとのフィット感の低下を抑制することができる野球またはソフトボール用捕球具を提供することである。
【課題を解決するための手段】
【０００７】
本発明の野球またはソフトボール用捕球具は、装着者の手に装着されるものである。野球またはソフトボール用捕球具は、指部と、手口ベロと、補強部材とを備えている。指部は、装着者の手の親指および小指を受け入れる。手口ベロは、指部に接続され、かつ装着者の手の甲に沿う。補強部材は、手口ベロに取り付けられている。手口ベロは、甲の親指側から小指側に向けて延びている。補強部材は、第１補強部と、第２補強部とを含んでいる。第１補強部は、甲の親指側から小指側に向けて手口ベロが延びる延在方向に第２補強部との間に隙間をあけて配置されている。
【０００８】
本発明の野球またはソフトボール用捕球具によれば、補強部材が手口ベロに取り付けられている。このため、補強部材によって手口ベロが伸びることを抑制することができる。また、第１補強部は、甲の親指側から小指側に向けて手口ベロが延びる延在方向に第２補強部との間に隙間をあけて配置されている。このため、第１補強部および第２補強部によって手口ベロを補強しつつ手口ベロを曲がり易くすることができる。したがって、装着者の手の甲と手口ベロとのフィット感の低下を抑制することができる。
【０００９】
上記の野球またはソフトボール用捕球具において、好ましくは、第１補強部および第２補強部の各々の材料の引張弾性率は、手口ベロの材料の引張弾性率以上である。このため、第１補強部および第２補強部の各々によって、手口ベロが伸びることを効果的に抑制することができる。
【００１０】
上記の野球またはソフトボール用捕球具において、好ましくは、第１補強部および第２補強部の各々の材料は、手口ベロの材料と同じである。したがって、同じ材料で製造できるため、第１補強部および第２補強部ならびに手口ベロの製造が容易となる。
【００１１】
上記の野球またはソフトボール用捕球具において、好ましくは、延在方向において、第１補強部および第２補強部の各々の幅は、隙間の幅よりも大きい。このため、第１補強部および第２補強部による手口ベロの補強と、手口ベロの曲がり易さとを両立することが容易となる。
【００１２】
上記の野球またはソフトボール用捕球具は、好ましくは、指部と手口ベロとの間に設けられた窓部をさらに備えている。第１補強部および第２補強部の各々は、延在方向において窓部の親指側の端よりも小指側に配置されている。このため、第１補強部および第２補強部による手口ベロの補強と、手口ベロの曲がり易さとを両立することが容易となる。
【００１３】
上記の野球またはソフトボール用捕球具において、好ましくは、第１補強部および第２補強部の各々は、延在方向に直交する交差方向において、手口ベロの中央よりも窓部側に配置されている。このため、第１補強部および第２補強部による手口ベロの補強と、手口ベロの曲がり易さとを両立することが容易となる。
【００１４】
上記の野球またはソフトボール用捕球具において、好ましくは、第１補強部は、延在方向に対して傾斜しており、かつ装着者の手の人差し指に接続された中手骨に沿って延びている。このため、野球またはソフトボール用捕球具が開閉するときに軸として機能する人差し指に接続された中手骨に沿って第１補強部が延びている。したがって、第１補強部により野球またはソフトボール用捕球具の開閉を安定させることができる。
【００１５】
上記の野球またはソフトボール用捕球具において、好ましくは、手口ベロは、甲に沿うように配置された第１ベロ部材と、第１ベロ部材に対して甲と反対側に配置された第２ベロ部材とを含んでいる。第１補強部および第２補強部の各々は、第２ベロ部材を貫通し、第１ベロ部材と第２ベロ部材との間で手口ベロに固定されている。このため、第１補強部および第２補強部の各々を手口ベロにしっかりと固定することができる。
【発明の効果】
【００１６】
以上説明したように、本発明の野球またはソフトボール用捕球具によれば、装着者の手の甲と手口ベロとのフィット感の低下を抑制することができる。
【図面の簡単な説明】
【００１７】
【図１】本発明の一実施の形態における野球またはソフトボール用捕球具を受球面側から見た状態を概略的に示す正面図である。
【図２】本発明の一実施の形態における野球またはソフトボール用捕球具を背面側から見た状態を概略的に示す背面図である。
【図３】図２のＩＩＩ部の拡大図である。
【図４】図３のＩＶ−ＩＶ線に沿う装着者の手の甲、手口ベロおよび補強部材を示す拡大断面図である。
【図５】本発明の一実施の形態における野球またはソフトボール用捕球具の補強部材の形状を示す図２に対応する拡大図である。
【図６】図５のＶＩ−ＶＩ線に沿う手口ベロおよび補強部材を示す断面図である。
【図７】本発明の一実施の形態における変形例の野球またはソフトボール用捕球具の図３に対応する拡大図である。
【発明を実施するための形態】
【００１８】
以下、図面に基づいて本発明の実施の形態を説明する。なお、特に言及しない限り、以下の図面において同一または対応する部分には同一の参照符号を付し、その説明を繰り返さない。
【００１９】
図１および図２を参照して、本発明の一実施の形態における野球またはソフトボール用捕球具１の構成について説明する。本発明の一実施の形態では、野球またはソフトボール用捕球具１として野球またはソフトボール用グラブを例示しているが、本発明の一実施の形態における野球またはソフトボール用捕球具１は、キャッチャーミット、ファーストミットなどであってもよい。
【００２０】
本発明の一実施の形態における野球またはソフトボール用捕球具１は、装着者（使用者）の手１００に装着されるものである。本発明の一実施の形態における野球またはソフトボール用捕球具１は、指部２と、手掌部３と、ウェブ部４と、複数の紐部５と、手口６と、受球面７と、背面８と、窓部９と、手口ベロ１０と、補強部材２０とを主に備えている。
【００２１】
指部２は、装着者の手１００の親指１０１、人差し指１０２、中指１０３、薬指１０４および小指１０５を受け入れ可能に構成されている。指部２は、親指部２ａ、人差し指部２ｂ、中指部２ｃ、薬指部２ｄおよび小指部２ｅを含んでいる。親指部２ａ、人差し指部２ｂ、中指部２ｃ、薬指部２ｄおよび小指部２ｅは、装着者の手１００の親指１０１、人差し指１０２、中指１０３、薬指１０４および小指１０５をそれぞれ受け入れ可能に構成されている。親指部２ａ、人差し指部２ｂ、中指部２ｃ、薬指部２ｄおよび小指部２ｅの各々は、装着者の手１００の親指１０１、人差し指１０２、中指１０３、薬指１０４および小指１０５の各々をそれぞれ受け入れるように袋状に構成されている。
【００２２】
手掌部３は、装着者の手１００の手掌を受け入れ可能に構成されている。手掌部３は、装着者の手１００の手掌を受け入れるように袋状に構成されている。手掌部３は、装着者の手１００の手掌を覆うように構成されている。手掌部３は、親指部２ａ、人差し指部２ｂ、中指部２ｃ、薬指部２ｄおよび小指部２ｅにそれぞれ接続されている。
【００２３】
手口６は、野球またはソフトボール用捕球具１に装着者の手１００を挿入するための挿入口である。手口６は、手掌部３および手口ベロ１０の各々の指部２と反対側の端部に設けられている。手口６は、装着者の手１００の手首１１０に沿うように設けられている。
【００２４】
手口ベロ１０は、指部２に接続されている。具体的には、手口ベロ１０は、親指部２ａと小指部２ｅとに接続されている。手口ベロ１０は、甲１０６の親指１０１側から小指１０５側に向けて延びている。手口ベロ１０は、親指部２ａから小指部２ｅにわたって延びている。手口ベロ１０は舌片状に構成されている。手口ベロ１０は、装着者の手１００の甲１０６に沿うように構成されている。手口ベロ１０は、装着者の手１００の甲１０６の少なくとも一部を覆うように構成されている。手口ベロ１０は、装着者の手１００に対して手掌部３と反対側に配置されている。つまり、手口ベロ１０は、装着者の手１００の甲１０６側に配置されている。
【００２５】
ウェブ部４は、親指部２ａと人差し指部２ｂとの間に配置されている。ウェブ部４は、ウェブ状に構成されている。ウェブ部４は、親指部２ａと人差し指部２ｂとの間の領域の少なくとも一部を覆うように構成されている。本発明の一実施の形態における野球またはソフトボール用捕球具１では、ウェブ部４にはウェブ目が設けられている。
【００２６】
複数の紐部５の一部は、親指部２ａおよび人差し指部２ｂの各々とウェブ部４とを接続し、人差し指部２ｂ、中指部２ｃ、薬指部２ｄおよび小指部２ｅを接続している。また、複数の紐部５の他の一部は、小指部２ｅと手口ベロ１０とを接続している。
【００２７】
受球面７は、装着者の手１００の手掌側に配置されている。受球面７はボールを受けるためのものである。受球面７は、指部２、手掌部３、ウェブ部４、および紐部５の各部の装着者の手１００の手掌側に配置された部分により構成されている。手掌部３は、受球面７の一部を構成している。
【００２８】
背面８は、装着者の手１００の甲１０６側に配置されている。背面８は、指部２、ウェブ部４、紐部５、手口ベロ１０および補強部材２０の各部の装着者の手１００の甲１０６側に配置された部分により構成されている。手口ベロ１０は、背面８の一部を構成している。
【００２９】
窓部９は、背面８に設けられている。窓部９は、指部２と手口ベロ１０との間に設けられている。窓部９は、親指部２ａ、人差し指部２ｂ、中指部２ｃ、薬指部２ｄ、小指部２ｅおよび手口ベロ１０により囲まれている。窓部９は、窓部９から野球またはソフトボール用捕球具１の内部が露出するように構成されている。
【００３０】
指部２および手口ベロ１０は、親指部２ａ側から小指部２ｅ側にわたって手掌側から甲１０６側に突出するように湾曲している。つまり、親指部２ａ側から小指部２ｅ側にわたって背面８側に膨らむように背面８のアーチ形状が維持されている。
【００３１】
図２および図３を参照して、手口ベロ１０は、甲１０６の親指１０１側から小指１０５側に向けて延びるように構成されている。手口ベロ１０が甲１０６の親指１０１側から小指１０５側に向けて延びる延在方向Ｄ１において、手口ベロ１０は、甲１０６の親指１０１側に配置された根元１１と、甲１０６の小指１０５側に配置された先端１２とを有している。延在方向Ｄ１における手口ベロ１０の根元１１から先端１２までの長さが手口ベロ１０の延在方向Ｄ１の長さＬ１である。手口ベロ１０の延在方向Ｄ１の長さＬ１は、手口ベロ１０の表面Ｓに沿う長さである。
【００３２】
補強部材２０は、手口ベロ１０を補強するためのものである。補強部材２０は、手口ベロ１０に取り付けられている。補強部材２０は、第１補強部２１および第２補強部２２を含んでいる。本発明の一実施の形態では、補強部材２０は、第１補強部２１および第２補強部２２に加えて、第３補強部２３を含んでいる。第１補強部２１、第２補強部２２、第３補強部２３の各々は、手口ベロ１０に取り付けられている。
【００３３】
第１補強部２１は、甲１０６の親指１０１側から小指１０５側に向けて手口ベロ１０が延びる延在方向Ｄ１に第２補強部２２との間に隙間ＧＰをあけて配置されている。第２補強部２２は、延在方向Ｄ１に第３補強部２３との間に隙間ＧＰをあけて配置されている。隙間ＧＰは、隙間ＧＰから手口ベロ１０の表面Ｓが露出するように構成されている。つまり、隙間ＧＰは、第１補強部２１、第２補強部２２および第３補強部２３によって覆われていない。
【００３４】
第１補強部２１および第２補強部２２の各々の材料の引張弾性率は、手口ベロ１０の材料の引張弾性率以上である。また、第３補強部２３の材料の引張弾性率は、手口ベロ１０の材料の引張弾性率以上である。
【００３５】
第１補強部２１および第２補強部２２の各々の材料は、手口ベロ１０の材料と同じである。また、第３補強部２３の材料は、手口ベロ１０の材料を同じである。第１補強部２１、第２補強部２２および第３補強部２３の各々の材料は、たとえば、天然皮革、人工皮革、合成皮革、合成樹脂および繊維強化プラスチックなどである。この合成樹脂は、たとえば、ポリプロピレンおよびポリウレタンなどである。手口ベロ１０の材料は、たとえば、天然皮革、人工皮革および合成皮革などである。
【００３６】
延在方向Ｄ１において、第１補強部２１および第２補強部２２の各々の幅Ｗ１は、隙間ＧＰの幅Ｗ２よりも大きい。また、第３補強部２３の幅Ｗ１は、隙間ＧＰの幅Ｗ２よりも大きい。第１補強部２１、第２補強部２２および第３補強部２３の各々の幅Ｗ１は、手口ベロ１０の表面Ｓに沿う幅である。隙間ＧＰの幅Ｗ２は、手口ベロ１０の表面Ｓに沿う幅である。第１補強部２１、第２補強部２２および第３補強部２３の各々の幅Ｗ１は、互いに等しい寸法であってもよい。複数の隙間ＧＰの幅Ｗ２は、互いに等しい寸法であってもよい。複数の隙間ＧＰの各々の幅Ｗ２は、第１補強部２１、第２補強部２２および第３補強部２３の各々の幅Ｗ１の１／３以上２／３以下であってもよい。
【００３７】
第１補強部２１および第２補強部２２の各々は、延在方向Ｄ１において窓部９の親指１０１側の端９ａよりも小指１０５側に配置されている。また、第３補強部２３は、延在方向Ｄ１において窓部９の親指１０１側の端９ａよりも小指１０５側に配置されている。
【００３８】
手口ベロ１０の延在方向Ｄ１に直交する交差方向Ｄ２における長さＬ２は、交差方向Ｄ２における手口ベロ１０の最大の長さである。第１補強部２１および第２補強部２２は、延在方向Ｄ１に直交する交差方向Ｄ２において、手口ベロ１０の中央ＣＰよりも窓部９側に配置されている。また、第３補強部２３は、交差方向Ｄ２において、手口ベロ１０の中央ＣＰよりも窓部９側に配置されている。第１補強部２１および第２補強部２２は、延在方向Ｄ１に直交する交差方向Ｄ２において、手口ベロ１０の中央ＣＰよりも装着者の手１００の中指１０３側に配置されている。また、第３補強部２３は、交差方向Ｄ２において、手口ベロ１０の中央ＣＰよりも装着者の手１００の中指１０３側に配置されている。第１補強部２１、第２補強部２２および第３補強部２３の各々は、交差方向Ｄ２における手口ベロ１０の中央ＣＰを通り延在方向Ｄ１に延びる手口ベロ１０の中心線ＣＬよりも窓部９側に配置されている。
【００３９】
人差し指１０２においては、指先側から順に、末節骨１０２ａ、中節骨１０２ｂ、基節骨１０２ｃが配列されている。基節骨１０２ｃは、中手骨１０６ａと中手指節関節を介して接続されている。第１補強部２１は、延在方向Ｄ１に対して傾斜している。第１補強部２１は、装着者の手１００の人差し指１０２に接続された中手骨１０６ａに沿って延びている。第２補強部２２は、第１補強部２１と平行に配置されている。また、第３補強部２３は、第２補強部２２と平行に配置されている。
【００４０】
図３および図４を参照して、第１補強部２１、第２補強部２２および第３補強部２３の各々は、手口ベロ１０の表面Ｓに配置されている。第１補強部２１、第２補強部２２および第３補強部２３の各々は、手口ベロ１０の表面Ｓ上に重ねられた部分を有している。第１補強部２１、第２補強部２２および第３補強部２３の各々は、手口ベロ１０の表面Ｓに互いに等間隔に配置されていてもよい。
【００４１】
手口ベロ１０は、第１ベロ部材１０ａと、第２ベロ部材１０ｂとを有している。第１ベロ部材１０ａは、装着者の手１００の甲１０６に沿うように配置されている。第２ベロ部材１０ｂは、第１ベロ部材１０ａに対して甲１０６と反対側に配置されている。手口ベロ１０の表面Ｓは、第２ベロ部材１０ｂの第１ベロ部材１０ａと反対側の面である。第１補強部２１、第２補強部２２および第３補強部２３の各々の厚みは、第２ベロ部材１０ｂの厚みの１／２以上１以下であってもよい。
【００４２】
図５および図６を参照して、手口ベロ１０および補強部材２０の構成についてさらに詳しく説明する。なお、図６では、説明の便宜のため、補強部材２０として第１補強部２１を例に説明するが、第２補強部２２および第３補強部２３の各々も第１補強部２１と同様の構成を有している。
【００４３】
第１補強部２１および第２補強部２２の各々は、第２ベロ部材１０ｂを貫通し、第１ベロ部材１０ａと第２ベロ部材１０ｂとの間で手口ベロ１０に固定されている。また、第３補強部２３は、第２ベロ部材１０ｂを貫通し、第１ベロ部材１０ａと第２ベロ部材１０ｂとの間で手口ベロ１０に固定されている。
【００４４】
第１補強部２１、第２補強部２２および第３補強部２３の各々は、第２ベロ部材１０ｂに設けられた貫通孔１３を通って第１ベロ部材１０ａと第２ベロ部材１０ｂとの間に挿入されている。具体的には、貫通孔１３は、第１孔１３ａおよび第２孔１３ｂを含んでいる。第１補強部２１、第２補強部２２および第３補強部２３の各々は、第１孔１３ａおよび第２孔１３ｂを通って第１ベロ部材１０ａと第２ベロ部材１０ｂとの間に挿入されている。第１補強部２１、第２補強部２２および第３補強部２３の各々は、第１孔１３ａと第２孔１３ｂとにわたって手口ベロ１０の表面Ｓ上に配置されている。
【００４５】
第１補強部２１、第２補強部２２および第３補強部２３は、たとえば、第１ベロ部材１０ａおよび第２ベロ部材１０ｂの互いに向かい合う内側面に接着剤により接着されている。なお、図６では、説明の便宜のため、この接着剤は図示されていない。
【００４６】
第１補強部２１の先端部２１ａおよび第２ベロ部材１０ｂの先端部１０ｂ１は一体的に糸３１により縫い付けられている。ヘリ部材１０ｃにより、第１ベロ部材１０ａの先端部１０ａ１、第１補強部２１の先端部２１ａ、第２ベロ部材１０ｂの先端部１０ｂ１が挟まれている。この状態で、第１ベロ部材１０ａの先端部１０ａ１、第１補強部２１の先端部２１ａ、第２ベロ部材１０ｂの先端部１０ｂ１、ヘリ部材１０ｃの上側（背面側）の部分が一体的に糸３２により縫い付けられている。また、ヘリ部材１０ｃの下側（手首側）、第１ベロ部材１０ａの先端部１０ａ１、第１補強部２１の先端部２１ａ、第２ベロ部材１０ｂの先端部１０ｂ１、ヘリ部材１０ｃの上側（背面側）が一体的に糸３３により縫い付けられている。本発明の一実施の形態では、第１補強部２１、第２補強部２２および第３補強部２３の各々は、手口ベロ１０の表面Ｓに接着剤などによって固定されていない。
【００４７】
本発明の一実施の形態では、第１補強部２１の根元と第２補強部２２の根元とは連結部ＬＰにより連結されている。第１補強部２１および第２補強部２２は互いの根元以外では連結されていない。また、第２補強部２２の根元と第３補強部２３の根元とは連結部ＬＰにより連結されている。第２補強部２２および第３補強部２３は互いに根元以外では連結されていない。なお、第１補強部２１と第２補強部２２とは互いに連結されていなくてもよい。また、第２補強部２２と第３補強部２３とは互いに連結されていなくてもよい。
【００４８】
図７を参照して、本発明の一実施の形態における変形例の野球またはソフトボール用捕球具１について説明する。この変形例の野球またはソフトボール用捕球具１は、特に言及しない限り、上記の本発明の一実施の形態における野球またはソフトボール用捕球具１と同様の構成を有している。
【００４９】
この変形例の野球またはソフトボール用捕球具１では、上記の本発明の一実施の形態における野球またはソフトボール用捕球具１に比べて、補強部材２０の構成が異なっている。この変形例では、補強部材２０は、第１補強部２１、第２補強部２２、第３補強部２３、第４補強部２４および第５補強部２５を含んでいる。第１補強部２１、第２補強部２２、第３補強部２３、第４補強部２４および第５補強部２５の各々は、延在方向Ｄ１に互いに隙間ＧＰをあけて配置されている。
【００５０】
この変形例では、第１補強部２１、第２補強部２２、第３補強部２３、第４補強部２４および第５補強部２５の各々の幅Ｗ１は、上記の本発明の一実施の形態における第１補強部２１、第２補強部２２および第３補強部２３の各々の幅Ｗ１より小さい。また、この変形例では、複数の隙間ＧＰの各々の幅Ｗ２は、上記の本発明の一実施の形態における複数の隙間ＧＰの各々の幅Ｗ２よりも小さい。
【００５１】
なお、補強部材２０の構成は、上記の本発明の一実施の形態および変形例に限定されない。具体的には、補強部材２０の補強部の個数は、３個または５個に限定されず、２個以上であればよく、たとえば、２個または４個であってもよい。
【００５２】
次に、本発明の一実施の形態における野球またはソフトボール用捕球具１の作用効果について説明する。
【００５３】
本発明の一実施の形態における野球またはソフトボール用捕球具１によれば、補強部材２０が手口ベロ１０に取り付けられている。このため、補強部材２０によって手口ベロ１０が伸びることを抑制することができる。また、第１補強部２１は、装着者の手１００の甲１０６の親指１０１側から小指１０５側に向けて手口ベロ１０が延びる延在方向Ｄ１に第２補強部２２との間に隙間ＧＰをあけて配置されている。このため、第１補強部２１および第２補強部２２によって手口ベロ１０を補強しつつ手口ベロ１０を曲がり易くすることができる。したがって、装着者の手１００の甲１０６と手口ベロ１０とのフィット感の低下を抑制することができる。よって、野球またはソフトボール用捕球具１と装着者の手１００との一体感を増すことができる。
【００５４】
また、補強部材２０は、第３補強部２３を含んでいるため、第３補強部２３によって手口ベロ１０が延びることを抑制することができる。さらに、第２補強部２２は、延在方向Ｄ１に第３補強部２３との間に隙間ＧＰをあけて配置されている。このため、第２補強部２２および第３補強部２３によって手口ベロ１０を補強しつつ手口ベロ１０を曲がり易くすることができる。したがって、装着者の手１００の甲１０６と手口ベロ１０とのフィット感の低下をさらに抑制することができる。
【００５５】
また、第１補強部２１の根元と第２補強部２２の根元とは連結部ＬＰにより連結されているため、第１補強部２１と第２補強部２２とを手口ベロ１０に固定するときの作業が容易となる。さらに、第２補強部２２の根元と第３補強部２３の根元とは連結部ＬＰにより連結されているため、第３補強部２３を手口ベロ１０に固定するときの作業が容易となる。したがって、補強部材２０全体を手口ベロ１０に固定するときの作業が容易となる。
【００５６】
本発明の一実施の形態における野球またはソフトボール用捕球具１においては、第１補強部２１および第２補強部２２の各々の材料の引張弾性率は、手口ベロ１０の材料の引張弾性率以上である。このため、第１補強部２１および第２補強部２２の各々によって、手口ベロ１０が伸びることを効果的に抑制することができる。
【００５７】
本発明の一実施の形態における野球またはソフトボール用捕球具１においては、第１補強部２１および第２補強部２２の各々の材料は、手口ベロ１０の材料と同じである。したがって、同じ材料で製造できるため、第１補強部２１および第２補強部２２ならびに手口ベロ１０の製造が容易となる。
【００５８】
本発明の一実施の形態における野球またはソフトボール用捕球具１においては、延在方向Ｄ１において、第１補強部２１および第２補強部２２の各々の幅Ｗ１は、隙間ＧＰの幅Ｗ２よりも大きい。このため、第１補強部２１および第２補強部２２による手口ベロ１０の補強と、手口ベロ１０の曲がり易さとを両立することが容易となる。
【００５９】
本発明の一実施の形態における野球またはソフトボール用捕球具１においては、第１補強部２１および第２補強部２２の各々は、延在方向Ｄ１において窓部９の親指１０１側の端９ａよりも小指１０５側に配置されている。このため、第１補強部２１および第２補強部２２による手口ベロ１０の補強と、手口ベロ１０の曲がり易さとを両立することが容易となる。
【００６０】
本発明の一実施の形態における野球またはソフトボール用捕球具１においては、第１補強部２１および第２補強部２２の各々は、延在方向Ｄ１に直交する交差方向Ｄ２において、手口ベロ１０の中央ＣＰよりも窓部９側に配置されている。このため、第１補強部２１および第２補強部２２による手口ベロ１０の補強と、手口ベロ１０の曲がり易さとを両立することが容易となる。
【００６１】
本発明の一実施の形態における野球またはソフトボール用捕球具１においては、第１補強部２１は、延在方向Ｄ１に対して傾斜しており、かつ装着者の手１００の人差し指１０２に接続された中手骨１０６ａに沿って延びている。このため、野球またはソフトボール用捕球具１が開閉するときに軸として機能する人差し指１０２に接続された中手骨１０６ａに沿って第１補強部２１が延びている。したがって、第１補強部２１により野球またはソフトボール用捕球具１の開閉を安定させることができる。
【００６２】
本発明の一実施の形態における野球またはソフトボール用捕球具１においては、手口ベロ１０は、装着者の手１００の甲１０６に沿うように配置された第１ベロ部材１０ａと、第１ベロ部材１０ａに対して甲１０６と反対側に配置された第２ベロ部材１０ｂとを含んでいる。第１補強部２１および第２補強部２２の各々は、第２ベロ部材１０ｂを貫通し、第１ベロ部材１０ａと第２ベロ部材１０ｂとの間で手口ベロ１０に固定されている。このため、第１補強部２１および第２補強部２２の各々を手口ベロ１０にしっかりと固定することができる。
【００６３】
また、第１補強部２１および第２補強部２２の各々は、手口ベロ１０の表面Ｓに固定されていないため、手口ベロ１０の曲がり易さを向上させることができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００６５】
１  野球またはソフトボール用捕球具、２  指部、２ａ  親指部、２ｂ  人差し指部、２ｃ  中指部、２ｄ  薬指部、２ｅ  小指部、３  手掌部、４  ウェブ部、５  紐部、６  手口、７  受球面、８  背面、９  窓部、１０  手口ベロ、１０ａ  第１ベロ部材、１０ｂ  第２ベロ部材、２０  補強部材、２１  第１補強部、２２  第２補強部、２３  第３補強部、３１，３２，３３  糸、１００  装着者の手、１０１  親指、１０２  人差し指、１０３  中指、１０４  薬指、１０５  小指、１０６  甲、１０６ａ  中手骨、ＣＰ  中央、Ｄ１  延在方向、Ｄ２  交差方向、ＧＰ  隙間。
【図１】
2020120977.tif 000003
【図２】
2020120977.tif 000004
【図３】
2020120977.tif 000005
【図４】
2020120977.tif 000006
【図５】
2020120977.tif 000007
【図６】
2020120977.tif 000008
【図７】
2020120977.tif 000009